【手続補正書】
【提出日】平成25年12月4日(2013.12.4)
【手続補正１】
【補正対象書類名】明細書
【補正対象項目名】００１０
【補正方法】変更
【補正の内容】
【００１０】
また、前記透かし画像作成部は、前記画像移動指示部による前記移動の指示に追従して、前記第１コンテンツ画像群と前記第２コンテンツ画像群との相対位置を変更した前記透かし画像を作成することが好ましい。
【手続補正２】
【補正対象書類名】明細書
【補正対象項目名】００１８
【補正方法】変更
【補正の内容】
【００１８】
本発明に係る画像編集方法は、出力媒体の両面に少なくとも１つのコンテンツ画像をそれぞれ面付けする画像編集装置を用いた方法であって、前記両面のうち第１面上に配置された第１コンテンツ画像群に、第２面上に配置された第２コンテンツ画像群を透かした状態で重ねて可視化する透かし画像を作成するステップと、作成された前記透かし画像を表示装置に表示するステップと、前記表示装置に表示された前記透かし画像上の位置又はマークを、ユーザ・インターフェースを介して指定することで、前記第１コンテンツ画像群及び前記第２コンテンツ画像群のうちいずれか一方の移動を指示するステップと、前記移動の指示に応じて該移動の前後にわたる相対移動量を算出するステップと、前記第１コンテンツ画像群のうち少なくとも１つのコンテンツ画像の前記第１面上での配置位置、又は、前記第２コンテンツ画像群のうち少なくとも１つのコンテンツ画像の前記第２面上での配置位置を、算出された前記相対移動量だけ変更するステップとを備える。
【手続補正３】
【補正対象書類名】明細書
【補正対象項目名】００６３
【補正方法】変更
【補正の内容】
【００６３】
図６に示すように、作業者は、透かし画像１１０上のいずれかの位置、例えば、角トンボを構成する２つのＬ字の交点にカーソル１３４を合わせた後、始点１３６から終点１３８まで矢印Ｍに沿ったドラッグ操作を実行する。そうすると、透かし画像作成部６４は、透過画像領域１１２ｅの移動を反映した透かし画像１１０を新たに作成する。換言すれば、透かし画像作成部６４は、画像移動指示部６６による移動の指示に追従して、第１コンテンツ画像群Ｃｇ１と第２コンテンツ画像群Ｃｇ２との相対位置を変更した透かし画像を作成する。
【手続補正４】
【補正対象書類名】明細書
【補正対象項目名】００６８
【補正方法】変更
【補正の内容】
【００６８】
ステップＳ６において、移動量算出部５８は、ステップＳ５での移動指示に応じてこの移動の前後にわたる相対移動量を算出する。具体的には、移動量算出部５８は、始点１３６から終点１３８までを結ぶ矢印Ｍのベクトル量に、透かし画像１１０の画像倍率を除算することで、第２面９０（図４Ｂ参照）を表す画像領域１４０（図８Ａ参照）での相対移動量を算出する。なお、第１面８０及び第２面９０の座標系において、左右方向の座標向きが反転する点に留意する。
【手続補正５】
【補正対象書類名】特許請求の範囲
【補正対象項目名】全文
【補正方法】変更
【補正の内容】
【特許請求の範囲】
【請求項１】
出力媒体の両面に少なくとも１つのコンテンツ画像をそれぞれ面付けする画像編集装置であって、
前記両面のうち第１面上に配置された第１コンテンツ画像群に、第２面上に配置された第２コンテンツ画像群を透かした状態で重ねて可視化する透かし画像を作成する透かし画像作成部と、
前記透かし画像作成部により作成された前記透かし画像を表示する表示部と、
前記表示部に表示された前記透かし画像上の位置又はマークを、ユーザ・インターフェースを介して指定することで、前記第１コンテンツ画像群及び前記第２コンテンツ画像群のうちいずれか一方の移動を指示する画像移動指示部と、
前記画像移動指示部による前記移動の指示に応じて該移動の前後にわたる相対移動量を算出する移動量算出部と、
前記第１コンテンツ画像群のうち少なくとも１つのコンテンツ画像の前記第１面上での配置位置、又は、前記第２コンテンツ画像群のうち少なくとも１つのコンテンツ画像の前記第２面上での配置位置を、前記移動量算出部により算出された前記相対移動量だけ変更する配置変更部と
を有することを特徴とする画像編集装置。
【請求項２】
請求項１記載の画像編集装置において、
前記透かし画像作成部は、前記画像移動指示部による前記移動の指示に追従して、前記第１コンテンツ画像群と前記第２コンテンツ画像群との相対位置を変更した前記透かし画像を作成することを特徴とする画像編集装置。
【請求項３】
請求項２記載の画像編集装置において、
前記透かし画像の表示形態を指示する表示形態指示部をさらに有することを特徴とする画像編集装置。
【請求項４】
請求項３記載の画像編集装置において、
前記表示形態指示部は、前記透かし画像の表示倍率を指示することを特徴とする画像編集装置。
【請求項５】
請求項３又は４に記載の画像編集装置において、
前記表示形態指示部は、前記透かし画像のうち前記第２コンテンツ画像群の透過率を指示することを特徴とする画像編集装置。
【請求項６】
請求項１〜５のいずれか１項に記載の画像編集装置において、
前記配置変更部は、所定の指示に応じて、前記第１コンテンツ画像群及び前記第２コンテンツ画像群の配置位置の変更を禁止又はその解除をすることを特徴とする画像編集装置。
【請求項７】
請求項１〜６のいずれか１項に記載の画像編集装置において、
前記画像移動指示部は、前記第１コンテンツ画像群及び第２コンテンツ画像群に共通して含まれる位置合わせ用マークを指定することで前記移動を指示することを特徴とする画像編集装置。
【請求項８】
請求項７記載の画像編集装置において、
前記画像移動指示部は、各前記位置合わせ用マーク間の距離が所定範囲内である場合、該位置合わせ用マークが重なるように前記移動を指示することを特徴とする画像編集装置。
【請求項９】
請求項１〜８のいずれか１項に記載の画像編集装置において、
前記配置変更部は、前記第１コンテンツ画像群又は第２コンテンツ画像群のうち、全部のコンテンツ画像、折り丁毎のコンテンツ画像、及びページ毎のコンテンツ画像のうちいずれかの配置位置を変更することを特徴とする画像編集装置。
【請求項１０】
出力媒体の両面に少なくとも１つのコンテンツ画像をそれぞれ面付けする画像編集装置を用いた画像編集方法であって、
前記両面のうち第１面上に配置された第１コンテンツ画像群に、第２面上に配置された第２コンテンツ画像群を透かした状態で重ねて可視化する透かし画像を作成するステップと、
作成された前記透かし画像を表示装置に表示するステップと、
前記表示装置に表示された前記透かし画像上の位置又はマークを、ユーザ・インターフェースを介して指定することで、前記第１コンテンツ画像群及び前記第２コンテンツ画像群のうちいずれか一方の移動を指示するステップと、
前記移動の指示に応じて該移動の前後にわたる相対移動量を算出するステップと、
前記第１コンテンツ画像群のうち少なくとも１つのコンテンツ画像の前記第１面上での配置位置、又は、前記第２コンテンツ画像群のうち少なくとも１つのコンテンツ画像の前記第２面上での配置位置を、算出された前記相対移動量だけ変更するステップと
を備えることを特徴とする画像編集方法。
【請求項１１】
出力媒体の両面に少なくとも１つのコンテンツ画像をそれぞれ面付けするためのプログラムであって、
コンピュータを、
前記両面のうち第１面上に配置された第１コンテンツ画像群に、第２面上に配置された第２コンテンツ画像群を透かした状態で重ねて可視化する透かし画像を作成する透かし画像作成部、
表示装置に表示させた前記透かし画像上の位置又はマークを、ユーザ・インターフェースを介して指定することで、前記第１コンテンツ画像群及び前記第２コンテンツ画像群のうちいずれか一方の移動を指示する画像移動指示部、
前記画像移動指示部による前記移動の指示に応じて該移動の前後にわたる相対移動量を算出する移動量算出部、
前記第１コンテンツ画像群のうち少なくとも１つのコンテンツ画像の前記第１面上での配置位置、又は、前記第２コンテンツ画像群のうち少なくとも１つのコンテンツ画像の前記第２面上での配置位置を、前記移動量算出部により算出された前記相対移動量だけ変更する配置変更部
として機能させることを特徴とするプログラム。